(57)【要約】【課題】スコア入力作業の分担や入力情報の正誤チェックを行うことができ、試合の進捗状況に応じた適確且つ迅速なスコア情報を表示することができるスコアボード表示システムを提供する。【解決手段】スコアボード表示システムを、スコアボード制御用ＰＣ７と、スコアボード１に光通信ケーブル１８を介して接続されると共に、映像変換器５及びシリアル信号変換器３を介して接続されたスコアボード監視制御装置８と、スコアボード１を無線で制御するタブレットＰＣ９とから構成する。【選択図】図１
0003191496.tif 000002
【実用新案登録請求の範囲】
【請求項１】
スコアボード制御用ＰＣと、スコアボードに光通信ケーブルを介して接続されると共に、前記スコアボード制御用ＰＣに接続された映像変換器を光通信ケーブル及びシリアル信号変換器を介して接続されたスコアボード監視制御装置と、スコアボードを無線で制御する少なくとも一台のタブレットＰＣとから構成したことを特徴とするスコアボード表示システム。
【考案の詳細な説明】
【技術分野】
【０００１】
本考案は、野球場などの競技場に設置されるスコアボード表示システムに関するものである。
【背景技術】
【０００２】
野球場や陸上競技場などのスポーツ競技場では、その競技に関する情報を試合中の選手や観客に対して表示する大型のスコアボードが使用される。
【０００３】
とくに野球場のスコアボードには、チーム名を表示するチーム名表示部と得点を表示する得点表示部、チーム名と共に選手名、打順、守備位置を表示するチームメンバー表示部、ストライク・ボール・アウトなどの競技の進行状況を表示するカウント表示部等が設けられている。
【０００４】
そして、予め選手名、打順、守備位置等の情報を、スコアボードに接続される操作卓として機能するパーソナルコンピュータ（以下、単にＰＣという）等に入力して登録しておき、スコアボードの所定位置に選手名、打順、守備位置を表示する。また、ランプの点灯及び消灯で表示するカウント表示や得点表示は操作卓から随時入力する。
【０００５】
このようなスコアボード表示装置として、例えば、競技場に設けられたスコアボード表示盤のチーム名表示部に、チーム名を漢字や英字で入力するためのチーム名入力手段を備えた操作卓を設けたスコアボード表示装置がある（特許文献１参照）。
【０００６】
また、送信側の制御回路側で入力したスコアボードの点数等のデータを送信回路により無線で送信し、受信側の受信回路が送信データを受取り、スコアボード側制御回路を経由してスコアボード表示部の点数表示部分などに入力データ（点数など）が表示できるスポーツ施設用ＬＥＤ表示システムが提案されている（特許文献２参照）。
【０００７】
スコアボードを得点表示部とストライク、ボール、アウト表示のカウント表示部とスコア入力ユニットに分割しそれぞれ独立して動作できる機能を備え、野球用として使用する場合は全ユニットを並べて接続し、サッカー用の場合には、得点表示部にＰＫ表示部を使用し、得点部のスコア識別をサッカー専用のスコア識別シートに張替え、ユニットの組合せで複数の競技に使用できる多機能スコアボード装置が提案されている（特許文献３参照）。
【０００８】
携帯情報端末とデータ管理装置とを、インターネット及びデータ連携部を介して接続し、携帯情報端末に、スコア入力部、記憶部、スコア表示制御部を備えたスコア入力装置が提案されている（特許文献４参照）。
【０００９】
審判員によって携帯されている審判用インジケータ装置が操作されて、ストライク、ボール、アウトの判定内容が入力される毎に、これを計数して、審判員に対し、カウント数を表示し、さらに無線形式で前記判定内容を発信して、スコア表示装置に受信させるとともに、試合中の選手や観客に対し、現在のカウント数を表示させるスコア等の表示システムが提案されている（特許文献５参照）。
【先行技術文献】
【特許文献】
【００１０】
【特許文献１】特開２０００−１４８５３号公報
【特許文献２】特開２０００−８４１３５号公報
【特許文献３】特開２００５−７１１２号公報
【特許文献４】特開２００３−７０９５２号公報
【特許文献５】特開平成１０−１７１３６７号公報
【考案の概要】
【考案が解決しようとする課題】
【００１１】
以上述べたように、従来のスコアボードの表示は、操作スイッチやスコア入力端末から入力できるようにされ、送信側の制御回路側で入力したスコアボードの点数等のデータを送信回路により無線で送信し、受信側の受信回路が送信データを受取り、スコアボード側制御回路を経由してスコアボード表示部の点数表示部分などに入力データが表示でき、移動や持ち運びが容易で任意の場所に設置でき、簡単にスコア表示ができるようにされている。
【００１２】
しかしながら、いずれの装置も単一の入力端末からスコア情報を入力する構成であるため、単独のスコアオペレーターの誤解や誤認による錯誤入力や入力遅延のおそれがあり、その錯誤入力が見逃されて放置されその修正に手間取った場合などを考慮すると、試合の進捗状況に応じた適確且つ迅速なスコア情報を表示できないという問題が発生する。また、近年、スマートフォンやタブレットＰＣのような携帯端末機の急速な発展に伴い、こうした無線表示システムもこれらの機器に対応することが必須となってきている。
【００１３】
本考案は、こうした従来技術の課題に鑑み、スコアボードへのスコア情報の入力作業を試合状況に応じて競技場内を移動して行うこともでき、複数の入力端末を使用することで、スコア入力作業の分担や入力情報の正誤チェックを行うことができ、試合の進捗状況に応じた適確且つ迅速なスコア情報を表示することができるスコアボード表示システムを提供することを目的とする。
【課題を解決するための手段】
【００１４】
このため本考案のスコアボード表示システムは、スコアボード制御用ＰＣと、スコアボードに光通信ケーブルを介して接続されると共に、前記スコアボード制御用ＰＣに接続された映像変換器を光通信ケーブル及びシリアル信号変換器を介して接続されたスコアボード監視制御装置と、スコアボードを無線で制御する少なくとも一台のタブレットＰＣとから構成したことを第１の特徴とする。
【考案の効果】
【００１５】
本考案は以下の優れた効果を奏する。
（１）単独のスコアオペレーターの誤解や誤認による錯誤入力や入力遅延に対して、迅速に修正対応できる。
（２）タブレットＰＣにより、試合状況に応じて競技場内の必要な場所に移動してスコア情報を入力することができる。このように、タブレットＰＣとスコアラー室に設置されたスコアボード制御用ＰＣとによる複数の入力端末を使用することで、スコア入力作業の分担や入力情報の正誤チェックを行うことができ、試合の進捗状況に応じた適確且つ迅速なスコア情報を表示することができる。
【図面の簡単な説明】
【００１６】
【図１】本考案に係るスコアボード表示システムの概略的な装置構成を示す構成図である。
【図２】スコア入力制御アプリケーションの起動画面の一例を示す画面表示図である。
【図３】スコア入力制御アプリケーションの得点入力画面の一例を示す画面表示図である。
【図４】スコア入力制御アプリケーションの進行入力画面の一例を示す画面表示図である。
【図５】試合結果が表示されたスコアボードの一例を示すイメージ図である。
【考案を実施するための形態】
【００１７】
以下、図面に示す実施例に基づいて本考案の実施の形態を説明する。
【実施例】
【００１８】
図１に示すように、本考案に係るスコアボード表示システムは、スコアラー室ラック１０に設置されたスコアボード制御用ＰＣ７と、競技場に設置されたスコアボード１に光通信ケーブル１５を介して接続されると共に、スコアボード制御用ＰＣ７に接続された映像変換器５を光通信ケーブル１６及びシリアル信号変換器３を介して接続されたスコアボード監視制御装置８と、スコアボード１を無線で制御する二台のタブレットＰＣ９，９とから概略構成されている。
【００１９】
システムの装置構成を詳述すると、スコアラー室ラック１０には、スコアボード制御用ＰＣ７が設置され、このスコアボード制御用ＰＣ７には光通信中継器４と映像変換器５が接続されている。さらに、映像変換器５はシリアル信号変換器（ＲＳ４８５）３と光通信中継器４に接続され、各々の装置はＨＵＢ６を介して商用電源用コンセントプラグ（ＡＣ１００Ｖ）１２に接続されて給電される。
【００２０】
一方、スコアボード室ラック１１には、スコアラー室ラック１０側のシリアル信号変換器（ＲＳ４８５）３と光通信中継器４に、光通信ケーブル１６とシリアル信号通信ケーブル１７を介して接続されたシリアル信号変換器（ＲＳ４８５）３と光通信中継器４が設置され、この光通信中継器４は光通信ケーブル１８を介して直接スコアボード１に接続され、シリアル信号変換器（ＲＳ４８５）３は監視制御装置８に接続されている。
【００２１】
監視制御装置８は、スコアボード室分電盤１５に接続されている。スコアボード室分電盤１５は、分電盤（電源切替内蔵）１４を介してキュービクル商用電源（ＡＣ２００−１００Ｖ）１２並びに発電機（ＡＣ２００−１００Ｖ）１３に接続され、スコアボード１本体用並びにサイレン用の電源を供給するようにされている。
【００２２】
また、スコアラー室側には、スコアボード１を無線制御可能にされた二台のタブレットＰＣ９が配置されており、スコアボード制御用ＰＣ７と同様のスコア入力作業を行うことができるようにされている。これにより、単独のスコアオペレーターの誤解や誤認による錯誤入力や入力遅延に対して、迅速に修正対応できる。
【００２３】
さらに、タブレットＰＣ９を使用することで、試合状況に応じて競技場内の必要な場所に移動してスコア情報を入力することができる。このように、タブレットＰＣ９とスコアラー室に設置されたスコアボード制御用ＰＣ７とによる複数の入力端末を使用することで、スコア入力作業の分担や入力情報の正誤チェックを行うことができ、試合の進捗状況に応じた適確且つ迅速なスコア情報を表示することができる。
【００２４】
尚、スコアボード制御用ＰＣ７及びタブレットＰＣ９には、スコアボード操作プログラム（アプリケーションソフト）が搭載されている。そして、スコアボード操作プログラムは、図２乃至図４に示すように、各々の操作端末のディスプレイにスコア入力制御アプリケーションの起動画面、得点入力画面、進行入力画面を画面表示し、スコアオペレーターは、これらの表示画面に対応して、初期設定入力、試合実施条件に関する諸情報及び試合経過に関する情報を逐次入力することにより、試合結果がスコアボード１に表示される（図５参照）。
【符号の説明】
【００２５】
１    スコアボード
２    商用電源用コンセントプラグ（ＡＣ１００Ｖ）
３    シリアル信号変換器（ＲＳ４８５）
４    光通信中継器
５    映像変換器
６    ＨＵＢ
７    スコアボード制御用ＰＣ
８    監視制御装置
９    タブレットＰＣ
１０  スコアラー室ラック
１１  スコアボード室ラック
１２  キュービクル商用電源（ＡＣ２００−１００Ｖ）
１３  発電機（ＡＣ２００−１００Ｖ）
１４  分電盤（電源切替内蔵）
１５  スコアボード室分電盤
１６  光通信ケーブル
１７  シリアル信号通信ケーブル
１８  光通信ケーブル
【図１】
0003191496.tif 000003
【図２】
0003191496.tif 000004
【図３】
0003191496.tif 000005
【図４】
0003191496.tif 000006
【図５】
0003191496.tif 000007
【手続補正書】
【提出日】平成26年4月18日(2014.4.18)
【手続補正１】
【補正対象書類名】図面
【補正対象項目名】図３
【補正方法】変更
【補正の内容】
【図３】
0003191496.tif 000008